(57)【要約】【課題】  電源回路とアンプ回路との間にミュート制御信号を送受信するための制御ケーブルを別途設けることなく、アンプ回路をミュート状態、ミュート解除状態に制御する。【解決手段】  電源回路は、電源オン時から所定時間経過する迄の間は、第１電圧値の電源電圧を第１アンプ回路および前記第２アンプ回路に供給し、電源オン時から所定時間経過した後は、第２電圧値の電源電圧を前記第１アンプ回路および前記第２アンプ回路に供給する。第１アンプ回路および前記第２アンプ回路は、電源回路から第１電圧値の電源電圧が供給されたときには、ミュート状態になり、第２電圧値の電源電圧が供給されたときには、ミュート解除状態になる。【選択図】図３
2011244223.tif 000002
【特許請求の範囲】
【請求項１】
第１アンプ回路と、第２アンプ回路と、前記第１アンプ回路および前記第２アンプ回路に電源電圧を供給する電源回路とを備え、
前記電源回路が、電源オン時から所定時間経過する迄の間は、第１電圧値の電源電圧を前記第１アンプ回路および前記第２アンプ回路に供給し、電源オン時から所定時間経過した後は、第２電圧値の電源電圧を前記第１アンプ回路および前記第２アンプ回路に供給し、
前記第１アンプ回路および前記第２アンプ回路が、前記電源回路から前記第１電圧値の電源電圧が供給されたときには、ミュート状態になり、前記電源回路から前記第２電圧値の電源電圧が供給されたときには、ミュート解除状態になる、ミュート制御装置。
【請求項２】
前記電源回路が、前記第１電圧値の電源電圧を生成し、アンプ電源出力ラインに供給する第１電源電圧生成部と、
電源オン時から所定時間経過する迄の間は、前記第２電圧値の電源電圧を前記アンプ電源出力ラインに供給せず、電源オン時から所定時間経過した後は、前記第２電圧値の電源電圧を前記アンプ電源出力ラインに供給する第２電源電圧生成部とを含む、請求項１に記載のミュート制御装置。
【請求項３】
前記第１アンプ回路および前記第２アンプ回路が、第１レベルの信号が入力されたときにミュート状態になり、第２レベルの信号が入力されたときにミュート解除状態になるミュート端子を有するアンプ部と、
前記電源回路から前記第１電圧値の電源電圧および前記第２電圧値の電源電圧のいずれが供給されているかを判別し、前記電源回路から前記第１電圧値の電源電圧が供給されている場合、前記アンプ部のミュート端子に前記第１レベルの信号を供給し、前記電源回路から前記第２電圧値の電源電圧が供給されている場合、前記アンプ部のミュート端子に前記第２レベルの信号を供給するミュート制御部とを含む、請求項１または２に記載のミュート制御装置。
【請求項４】
前記第１アンプ回路と前記電源回路とが第１筐体内に設けられ、前記第２アンプ回路が第２筐体内に設けられ、
前記電源回路と前記第２アンプ回路とが電源ケーブルを介して接続され、
前記電源回路からの電源電圧が前記電源ケーブルを介して前記第２アンプ回路に供給される、請求項１〜３のいずれかに記載のミュート制御装置。
【発明の詳細な説明】
【技術分野】
【０００１】
本発明は、電源オンから所定時間経過する迄の間アンプ回路をミュート状態にするミュート制御装置に関する。
【背景技術】
【０００２】
図５は、従来のオーディオ装置を示すブロック図である。アンプ内蔵型右スピーカーは、電源スイッチ、電源回路、右チャンネルアンプ回路、右チャンネルスピーカーを備える。アンプ内蔵型左スピーカーは、左チャンネルアンプ回路、左チャンネルスピーカーを備える。アンプ内蔵型右スピーカーとアンプ内蔵型左スピーカーとは、電源ケーブルと、音声ケーブルと、制御ケーブルとを介して相互に接続されている。アンプ内蔵型左スピーカーは、電源回路を備えておらず、アンプ内蔵型右スピーカーの電源回路から電源ケーブルを介して供給される電源電圧によって、左チャンネルアンプ回路が動作する。アンプ内蔵型右スピーカーは２ｃｈの音声入力端子をさらに備え、音声入力端子には２ｃｈの音声信号（左音声信号および右音声信号）が入力される。アンプ内蔵型右スピーカーに入力された左音声信号は音量調整された後、音声ケーブルを介してアンプ内蔵型左スピーカーに供給される。従って、アンプ内蔵型右スピーカーは入力された右音声信号を増幅して音声を出力し、アンプ内蔵型左スピーカーは入力された左音声信号を増幅して音声を出力することができる。
【０００３】
ユーザ操作によって、アンプ内蔵型右スピーカーの電源スイッチがオフからオン状態に切換えられると、アンプ内蔵型右スピーカーの電源回路が、入力される交流電源電圧に基づいて電源電圧を生成し、右チャンネルアンプ回路に供給すると共に、電源ケーブルを介して、アンプ内蔵型左スピーカーの左チャンネルアンプ回路にも供給する。
【０００４】
ここで、電源回路をオフからオンに切換える際に、ポップノイズがスピーカーから再生されることを防止するために、電源オンから所定時間（例えば１００ミリ秒）経過するまでの間、右チャンネルアンプ回路および左チャンネルアンプ回路をミュート状態にすることが要望される。図５のオーディオ装置では、アンプ内蔵型右スピーカーから制御ケーブルを介してアンプ内蔵型左スピーカーに、左チャンネルアンプ回路をミュート状態にするミュート制御信号、および、左チャンネルアンプ回路のミュート状態を解除するミュート制御信号を送信する。そのため、電源ケーブルの他に制御ケーブルを別途設ける必要があり、ケーブルの数が増加し、コストが増大すると共に、美観にも優れないという問題がある。
【先行技術文献】
【特許文献】
【０００５】
【特許文献１】特開２００８−１０９５６０号公報
【発明の概要】
【発明が解決しようとする課題】
【０００６】
本発明は上記従来の課題を解決するためになされたものであり、その目的は、電源回路と第２アンプ回路（または第１アンプ回路）との間にミュート制御信号を送受信するための制御ケーブルを別途設けることなく、第２アンプ回路（または第１アンプ回路）をミュート状態およびミュート解除状態に制御することができるミュート制御装置を提供することである。
【課題を解決するための手段】
【０００７】
本発明の好ましい実施形態によるミュート制御装置は、第１アンプ回路と、第２アンプ回路と、前記第１アンプ回路および前記第２アンプ回路に電源電圧を供給する電源回路とを備え、前記電源回路が、電源オン時から所定時間経過する迄の間は、第１電圧値の電源電圧を前記第１アンプ回路および前記第２アンプ回路に供給し、電源オン時から所定時間経過した後は、第２電圧値の電源電圧を前記第１アンプ回路および前記第２アンプ回路に供給し、前記第１アンプ回路および前記第２アンプ回路が、前記電源回路から前記第１電圧値の電源電圧が供給されたときには、ミュート状態になり、前記電源回路から前記第２電圧値の電源電圧が供給されたときには、ミュート解除状態になる。
【０００８】
第１アンプ回路および第２アンプ回路は、電源回路から第１電圧値の電源電圧が供給されるとミュート状態になり、電源回路から第２電圧値の電源電圧が供給されるとミュート解除状態になる。従って、電源回路と第２アンプ回路（または第１アンプ回路）との間にミュート制御信号を送受信するための制御ケーブルを別途設けることなく、第２アンプ回路（または第１アンプ回路）をミュート状態、ミュート解除状態にすることができる。
【０００９】
好ましい実施形態においては、前記電源回路が、前記第１電圧値の電源電圧を生成し、アンプ電源出力ラインに供給する第１電源電圧生成部と、電源オン時から所定時間経過する迄の間は、前記第２電圧値の電源電圧を前記アンプ電源出力ラインに供給せず、電源オン時から所定時間経過した後は、前記第２電圧値の電源電圧を前記アンプ電源出力ラインに供給する第２電源電圧生成部とを含む。
【００１０】
従って、電源オン時から所定時間経過する迄の間は、第１電源電圧生成部からの第１電圧値の電源電圧が第１アンプ回路および第２アンプ回路に供給され、電源オン時から所定時間経過した後は、第２電源電圧生成部からの第２電圧値の電源電圧が第１アンプ回路および第２アンプ回路に供給される。
【００１１】
好ましい実施形態においては、前記第１アンプ回路および前記第２アンプ回路が、第１レベルの信号が入力されたときにミュート状態になり、第２レベルの信号が入力されたときにミュート解除状態になるミュート端子を有するアンプ部と、前記電源回路から前記第１電圧値の電源電圧および前記第２電圧値の電源電圧のいずれが供給されているかを判別し、前記電源回路から前記第１電圧値の電源電圧が供給されている場合、前記アンプ部のミュート端子に前記第１レベルの信号を供給し、前記電源回路から前記第２電圧値の電源電圧が供給されている場合、前記アンプ部のミュート端子に前記第２レベルの信号を供給するミュート制御部とを含む。
【００１２】
好ましい実施形態においては、前記第１アンプ回路と前記電源回路とが第１筐体内に設けられ、前記第２アンプ回路が第２筐体内に設けられ、前記電源回路と前記第２アンプ回路とが電源ケーブルを介して接続され、前記電源回路からの電源電圧が前記電源ケーブルを介して前記第２アンプ回路に供給される。
【発明の効果】
【００１３】
電源回路と第２アンプ回路（または第１アンプ回路）との間にミュート制御信号を送受信するための制御ケーブルを別途設けることなく、第２アンプ回路（または第１アンプ回路）をミュート状態およびミュート解除状態に制御することができるミュート制御装置を提供することができる。
【図面の簡単な説明】
【００１４】
【図１】本発明の好ましい実施形態によるミュート制御装置を示すブロック図である。
【図２】電源回路１１を示す回路図である。
【図３】アンプ回路を示す回路図である。
【図４】アンプ電源出力ラインおよびアンプ電源入力ラインの電源電圧を示すタイムチャートである。
【図５】従来のミュート制御装置を示すブロック図である。
【発明を実施するための形態】
【００１５】
以下、本発明の好ましい実施形態によるミュート制御装置としての機能を有するオーディオ装置１について、図面を参照して具体的に説明するが、本発明はこれらの実施形態には限定されない。
【００１６】
図１は、オーディオ装置１を示すブロック図である。オーディオ装置１は、アンプ内蔵型右スピーカー２と、アンプ内蔵型左スピーカー３と、電源ケーブル４と、音声ケーブル５とを備える。アンプ内蔵型右スピーカー２とアンプ内蔵型左スピーカー３とは、電源ケーブル４と、音声ケーブル５とを介して相互に接続される。アンプ内蔵型右スピーカー２は、入力される右音声信号を増幅し、音声を再生する。アンプ内蔵型左スピーカー３は、入力される左音声信号を増幅し、音声を再生する。
【００１７】
アンプ内蔵型右スピーカー２は、電源スイッチ、電源回路、２ｃｈ音声入力端子、右チャンネルアンプ回路、および、右チャンネルスピーカーを備える。電源スイッチは、電源回路のオンおよびオフを、ユーザ操作によって切換えるスイッチである。電源回路は、電源スイッチがオンの時に入力交流電源電圧を整流平滑し、右チャンネルアンプ回路および左チャンネルアンプ回路に供給する電源電圧を生成する。電源回路によって生成された電源電圧は、右チャンネルアンプ回路に供給されると共に、電源ケーブル４を介してアンプ内蔵型左スピーカー３の左チャンネルアンプ回路にも供給される。
【００１８】
２ｃｈ音声入力端子は、右音声信号および左音声信号が入力され、右音声信号を右チャンネルアンプ回路に供給すると共に、左音声信号を音声ケーブル５を介してアンプ内蔵型左スピーカー３の左チャンネルアンプ回路に供給する。なお、アンプ内蔵型左スピーカー３に直接、左音声信号が入力される場合には、音声ケーブル５は不要である。右チャンネルアンプ回路は、電源回路から供給される電源電圧によって動作し、２ｃｈ音声入力端子から供給される右音声信号を増幅し、右チャンネルスピーカーから音声を出力する。
【００１９】
アンプ内蔵型左スピーカー３は、左チャンネルアンプ回路、左チャンネルスピーカーを備える。左チャンネルアンプ回路は、アンプ内蔵型右スピーカー２の電源回路から電源ケーブル４を介して供給される電源電圧によって動作し、アンプ内蔵型右スピーカー２の２ｃｈ音声入力端子から音声ケーブル５を介して供給される右音声信号を増幅し、右チャンネルスピーカーから音声を出力する。
【００２０】
オーディオ装置１では、アンプ内蔵型右スピーカー２からアンプ内蔵型左スピーカー３に送信されるミュート制御信号が、専用の制御ケーブルではなく、電源ケーブルを介して送信される。従って、制御ケーブルを別途設ける必要がない。詳細には、電源スイッチがオフからオンに切換えられ、交流電源電圧が電源回路に入力開始されると（電源オンになると）、電源回路は、電源オンから所定時間（例えば１００ミリ秒）経過するまでの間、第１電圧値（例えば５Ｖ）の電源電圧を右チャンネルアンプ回路および左チャンネルアンプ回路に供給する。そして、電源オン時から所定時間経過後は、電源回路は、第２電圧値（例えば１５Ｖ）の電源電圧を右チャンネルアンプ回路および左チャンネルアンプ回路に供給する。
【００２１】
右チャンネルアンプ回路および左チャンネルアンプ回路は、電源回路から第１電圧値の電源電圧が供給されると、ミュート状態になり、電源回路から第２電圧値の電源電圧が供給されると、ミュート状態を解除する。すなわち、第１電圧値の電源電圧は、右チャンネルアンプ回路および左チャンネルアンプ回路をミュート状態にするミュート制御信号としての機能を含み、第２電圧値の電源電圧は、右チャンネルアンプ回路および左チャンネルアンプ回路のミュート状態を解除するミュート制御信号としての機能を含む。
【００２２】
図２は、電源回路（以下、電源回路１１という。）の要部を示す回路図である。図２では、整流平滑回路等の一般的な回路部分については記載を省略している。電源回路１１は、第１電源電圧生成部１２と、第２電源電圧生成部１３とを含む。第１電源電圧生成部１２は、第１電圧値（以下５Ｖという。）の電源電圧を生成し、アンプ電源出力ラインに供給する。第２電源電圧生成部１３は、電源オン時から所定時間経過するまでの間は、第２電圧値（以下１５Ｖという。）の電源電圧をアンプ電源出力ラインに供給せず、電源オン時から所定時間経過後には、１５Ｖの電源電圧をアンプ電源出力ラインに供給する。
【００２３】
第１電源電圧生成部１２は、三端子レギュレータ１４と、コンデンサＣ１〜Ｃ３と、ダイオードＤ１とを含む。三端子レギュレータ１４の入力端子ＩＮは、整流平滑回路（図ではＤＣ１５ＶＩＮと記載する）に接続され、１５Ｖの電源電圧が入力される。三端子レギュレータ１４の出力端子ＯＵＴは、逆電流防止用のダイオードＤ１を介してアンプ電源出力ラインに接続されている。アンプ電源出力ラインは、図３のアンプ電源入力ラインに接続されている。コンデンサＣ１は三端子レギュレータ１の入力端子ＩＮと接地電位との間に接続され、コンデンサＣ２、Ｃ３は、三端子レギュレータ１の出力端子ＯＵＴと接地電位との間に接続されている。三端子レギュレータ１４は、常時（所定時間経過の前後共に）、入力される１５Ｖの電源電圧に基づいて５Ｖの電源電圧を生成し、アンプ電源出力ラインに供給する。
【００２４】
第２電源電圧生成部１３は、ＦＥＴ（スイッチ素子）１５と、トランジスタＱ１と、抵抗Ｒ１〜Ｒ３と、コンデンサＣ１とを含む。ＦＥＴ１５は、トランジスタＱ１がオンのときにオン状態であり、１５Ｖの電源電圧をアンプ電源出力ラインに供給する。ＦＥＴ１５は、トランジスタＱ１がオフのときにオフ状態であり、１５Ｖの電源電圧をアンプ電源出力ラインに供給しない（このとき、アンプ電源出力ラインの電源電圧は５Ｖである）。抵抗Ｒ３とコンデンサＣ１とは時定数回路を構成し、電源回路１１がオンになった時から所定時間経過する迄は、トランジスタＱ１のベースにトランジスタＱ１をオン状態にする電圧未満の電圧を供給し、トランジスタＱ１をオフ状態にし、所定時間経過後は、トランジスタＱ１のベースにトランジスタＱ１をオン状態にする電圧以上の電圧を供給し、トランジスタＱ１をオン状態にする。
【００２５】
ＦＥＴ１５は、ソースが整流平滑回路に接続され、１５Ｖの電源電圧が入力され、かつ、抵抗Ｒ１を介してＦＥＴ１５のゲートに接続され、ゲートが抵抗Ｒ２を介してトランジスタＱ１のコレクタに接続され、ドレインがアンプ電源出力ラインに接続されている。トランジスタＱ１は、コレクタが抵抗Ｒ２を介してＦＥＴ１５のゲートに接続され、ベースが抵抗Ｒ３とコンデンサＣ１とからなる時定数回路に接続され、エミッタが接地電位に接続されている。抵抗Ｒ３の一端とコンデンサＣ１の一端とはトランジスタＱ１のベースに接続され、抵抗Ｒ３の他端は整流平滑回路に接続され、１５Ｖの直流電圧が入力され、コンデンサＣ１の他端は接地電位に接続されている。
【００２６】
図３は、アンプ内蔵型右スピーカー２の右チャンネルアンプ回路、および、アンプ内蔵型左スピーカー３の左チャンネルアンプ回路（以下、これらを総称してアンプ回路２１という。）を示す回路図である。アンプ回路２１は、アンプ部（以下、アンプＩＣという。）２２と、トランジスタＱ２、Ｑ３と、抵抗Ｒ１１、Ｒ１２、Ｒ１３と、ツェナーダイオードＤ２とを含む。
【００２７】
アンプＩＣ２２は、ミュート端子ＭＵＴＥと、電源電圧入力端子ＶＣＣと、グランド端子ＧＮＤとを含む。アンプＩＣは、電源電圧入力端子ＶＣＣに入力される電源電圧に基づいて動作し、図示しない音声入力端子に入力される音声信号を増幅し、スピーカーに出力する。アンプＩＣは、ミュート端子ＭＵＴＥに入力される信号が第１レベル（例えばローレベル）である場合、ミュート状態となり、第２レベル（例えばハイレベル）である場合、ミュート解除状態となる。特に限定されないが、アンプＩＣ２２には、日本テキサス・インスツルメンツ社が販売するTPA3111D1が採用されるとよい。
【００２８】
アンプ回路２１の回路素子の内、アンプＩＣ２２以外の素子は、ミュート制御部を構成する。ミュート制御部は、アンプ電源入力ラインに５Ｖの電源電圧および１５Ｖの電源電圧のいずれが供給されているかを判別し、アンプ電源入力ラインの電源電圧が５Ｖの場合、アンプＩＣ２２のミュート端子ＭＵＴＥにローレベルの信号を供給し、アンプＩＣ２２をミュート状態にする。一方、アンプ電源入力ラインの電源電圧が１５Ｖの場合、アンプＩＣ２２のミュート端子ＭＵＴＥにハイレベルの信号を供給し、アンプＩＣ２２をミュート解除状態にする。
【００２９】
トランジスタＱ２は、ベースがツェナーダイオードＤ２のアノードに接続され、コレクタがトランジスタＱ３のベースと抵抗Ｒ１２の一端とに接続され、エミッタが接地電位に接続されている。トランジスタＱ３は、コレクタがアンプＩＣ２２のミュート端子ＭＵＴＥと、抵抗Ｒ１３の一端とに接続され、エミッタが接地電位に接続されている。抵抗Ｒ１１は一端がアンプ電源入力ラインに接続され、他端がツェナーダイオードＤ２のカソードに接続されている。抵抗Ｒ１２の他端はアンプ電源入力ラインに接続されている。アンプＩＣ２２の電源電圧入力端子ＶＣＣは、抵抗Ｒ１３の他端と、アンプ電源入力ラインとに接続されており、アンプ電源入力ラインから５Ｖ又は１５Ｖの電源電圧が供給されている。
【００３０】
以上の構成を有するオーディオ装置１についてその動作を説明する。図４は、図３のアンプ電源出力ライン、および、図４のアンプ電源入力ラインの電源電圧を示すタイミングチャートである。ユーザ操作によって、アンプ内蔵型右スピーカー２の電源スイッチがオフからオンに切換えられると、アンプ内蔵型右スピーカー２の電源回路１１に１５Ｖの電源電圧が供給開始される。
【００３１】
［電源オン時から所定時間が経過する迄の間］
図２に示すように、第２電源電圧生成部１３において、１５Ｖの電源電圧は抵抗Ｒ３を介してコンデンサＣ１に供給され、コンデンサＣ１の充電電圧がコンデンサＣ１と抵抗Ｒ３との積である時定数に応じて増加する。電源回路１１に１５Ｖの電源電圧が供給開始されたときから所定時間（例えば１００ミリ秒）経過する迄の時間は、コンデンサＣ１の充電電圧がトランジスタＱ１をオン状態にする電圧未満である。従って、トランジスタＱ１はオフ状態になっている。従って、ＦＥＴ１５のゲートには１５Ｖの電源電圧が抵抗Ｒ１を介して供給されるので、ＦＥＴ１５はオフ状態であり、第２電源電圧生成部１３は、１５Ｖの電源電圧をアンプ電源出力ラインに供給しない。このとき、第１電源電圧生成部１２においては、１５Ｖの電源電圧が三端子レギュレータ１４の入力ＩＮに供給され、５Ｖの電源電圧がダイオードＤ１を介して、アンプ電源出力ラインに供給される。なお、実際にはダイオードＤ１の電圧降下を減算した電源電圧がアンプ電源出力ラインに供給されるのであるが、説明を簡単にするため、単に５Ｖの電源電圧が供給されることとする。その結果、図４の時刻ｔ１〜ｔ２には、図３のアンプ電源出力ライン、および、図４のアンプ電源入力ラインの電源電圧は５Ｖになっている。
【００３２】
図３に示すように、アンプ内蔵型右スピーカー２およびアンプ内蔵型左スピーカー３の各アンプ回路２１においては、５Ｖの電源電圧がツェナーダイオードＤ２のカソードに供給され、ツェナーダイオードＤ２の導通開始電圧未満であるので、ツェナーダイオードＤ２はオフ状態である。従って、トランジスタＱ２はオフ状態である。トランジスタＱ３は、ベースに抵抗Ｒ１２を介して５Ｖの電源電圧が供給され、オン状態である。従って、アンプＩＣ２２のミュート端子ＭＵＴＥはトランジスタＱ３を介して接地電位に接続された状態であり、ローレベルの信号が供給されているので、アンプＩＣ２２はミュート状態になっている。このように、電源オン時から所定時間経過する迄の時間は、アンプＩＣ２２はミュート状態であるので、ポップノイズがスピーカーから出力されることを防止することができる。
【００３３】
［電源オン時から所定時間経過後］
電源オン時から所定時間（例えば１００ミリ秒）経過した後は、図２に示すように、第２電源電圧生成部１３において、コンデンサＣ１の充電電圧がトランジスタＱ１をオン状態にする電圧以上となる。従って、トランジスタＱ１はオン状態になっている。ＦＥＴ１５のゲートは接地電位に接続された状態であるので、ＦＥＴ１５はオン状態であり、第２電源電圧生成部１３は１５Ｖの電源電圧をアンプ電源出力ラインに供給する。その結果、図４の時刻ｔ２以降には、図３のアンプ電源出力ライン、および、図４のアンプ電源入力ラインの電源電圧は１５Ｖになっている。
【００３４】
図３に示すように、アンプ内蔵型右スピーカー２およびアンプ内蔵型左スピーカー３の各アンプ回路２１においては、１５Ｖの電源電圧がツェナーダイオードＤ２のカソードに供給され、ツェナーダイオードＤ２の導通開始電圧以上となるので、ツェナーダイオードＤ２はオン状態である。従って、トランジスタＱ２はベースに抵抗Ｒ１１、ツェナーダイオードＤ２を介して１５Ｖの電源電圧が供給されるので、オン状態である。トランジスタＱ３のベースは、トランジスタＱ２を介して接地電位に接続されるので、オフ状態である。従って、アンプＩＣのミュート端子ＭＵＴＥには、抵抗Ｒ１３を介して１５Ｖの電源電圧が供給され、ハイレベルの信号が供給されているので、アンプＩＣ２２はミュート解除状態になっている。このように、電源オン時から所定時間経過後は、アンプＩＣ２２は、ミュート解除状態であるので、電源電圧入力端子ＶＣＣに入力される１５Ｖの電源電圧によって動作し、音声入力端子に入力される音声信号を増幅し、スピーカーから音声を出力することができる。
【００３５】
以上のように、本実施形態によると、ミュート制御信号を送信する制御ケーブルを電源ケーブルの他に設ける必要なく、電源オン時から所定時間経過するまでの時間はアンプ回路をミュート状態にすることができる。
【００３６】
以上、本発明の好ましい実施形態を説明したが、本発明はこれらの実施形態には限定されない。電源回路等は、アンプ内蔵右スピーカー２ではなく、アンプ内蔵左スピーカー３に設けられてもよい。入力される音声信号がモノラル音声信号である場合、２つのアンプ内蔵スピーカーは共に同じ音声信号を増幅して出力する。また、左音声信号および右音声信号に代えて、サラウンド左音声信号およびサラウンド右音声信号が適用されてもよい。右チャンネルスピーカーと、右チャンネルアンプ及び電源回路等とを別筐体として構成し、左チャンネルスピーカーと、左チャンネルアンプとを別筐体として構成してもよい。このように、右チャンネルスピーカーおよび左チャンネルスピーカー自体は本発明の必須の構成ではない。アンプＩＣ２２は、ミュート端子にハイレベルの信号が入力されたときにミュート状態になり、ローレベルの信号が入力されたときにミュート解除状態になるものでもよく、この場合には、トランジスタの極性等が適宜変更される。また、第１電源電圧生成部１２が生成する電源電圧の第１電圧値が、第２電源電圧生成部１３が生成する電源電圧の第２電圧値よりも大きくてもよく、この場合にもトランジスタの極性等が適宜変更される。
【産業上の利用可能性】
【００３７】
本発明は、アンプ又はアンプ内蔵スピーカー等に好適に採用され得る。
【符号の説明】
【００３８】
１              オーディオ装置
２              アンプ内蔵型右スピーカー
３              アンプ内蔵型左スピーカー
４              電源ケーブル
５              音声ケーブル
１１            電源回路
１２            第１電源電圧生成部
１３            第２電源電圧生成部
１４            三端子レギュレータ
１５            ＦＥＴ
２１            アンプ回路
２２            アンプＩＣ
【図１】
2011244223.tif 000003
【図２】
2011244223.tif 000004
【図３】
2011244223.tif 000005
【図４】
2011244223.tif 000006
【図５】
2011244223.tif 000007